(57)【要約】【課題】  取扱性や汎用性の向上を図れる蓄熱設備を提供する上で、更に実用性の高い製品にする。【解決手段】  扁平形状の蓄熱カプセルＣの複数をその厚み方向に重ねて一体化した蓄熱カプセル群で構成してある蓄熱ブロック体において、蓄熱カプセル群の少なくとも両端部に、隣接配置させる別の蓄熱ブロック体Ｂと係合自在な係合部Ｋを備えた端部プレート２が一体に取り付けてある。【選択図】        図１
2006003059.tif 000002
【特許請求の範囲】
【請求項１】
扁平形状の蓄熱カプセルの複数をその厚み方向に重ねて一体化した蓄熱カプセル群で構成してある蓄熱ブロック体であって、
前記蓄熱カプセル群の少なくとも両端部に、隣接配置させる別の蓄熱ブロック体と係合自在な係合部を備えた端部プレートが一体に取り付けてある蓄熱ブロック体。
【請求項２】
前記係合部は、前記蓄熱カプセル群を構成する前記蓄熱カプセルの厚み方向に沿って隣接配置させる別の蓄熱ブロック体と係合自在に形成してある請求項１に記載の蓄熱ブロック体。
【請求項３】
前記係合部は、前記蓄熱カプセル群を構成する前記蓄熱カプセルの長さ方向に沿って隣接配置させる別の蓄熱ブロック体と係合自在に形成してある請求項１に記載の蓄熱ブロック体。
【請求項４】
前記係合部は、前記蓄熱カプセル群を構成する前記蓄熱カプセルの幅方向に沿って隣接配置させる別の蓄熱ブロック体と係合自在に形成してある請求項１に記載の蓄熱ブロック体。
【請求項５】
前記端部プレートは、外形寸法を前記蓄熱カプセルの外形寸法以上に形成してある請求項１〜４の何れか一項に記載の蓄熱ブロック体。
【請求項６】
前記両端部プレートの端部どうしを、前記蓄熱カプセル群より外側で連結する連結フレームが設けられている請求項１〜５の何れか一項に記載の蓄熱ブロック体。
【請求項７】
前記蓄熱カプセル群の両端部に設けられている前記係合部は、予め両隣に配置されたそれぞれ別の蓄熱ブロック体に対して、隣接方向に交わる方向に沿って係合操作又は係合解除操作することで前記別の蓄熱ブロック体と係合又は係合解除するように形成してある請求項１〜６の何れか一項に記載の蓄熱ブロック体。
【請求項８】
請求項１〜７の何れかの蓄熱ブロック体の複数を、それぞれ隣接する蓄熱ブロック体の前記係合部どうしを係合させて一体的に配置してある蓄熱槽。
【発明の詳細な説明】
【技術分野】
【０００１】  本発明は、蓄熱カプセル群に熱媒体（例えば、空気）を接触させて熱交換によってその熱を蓄熱材に蓄熱したり、蓄熱材から放熱したりできるように構成された蓄熱ブロック体、及び、蓄熱槽に関し、更に詳しくは、扁平形状の蓄熱カプセルの複数をその厚み方向に重ねて一体化した蓄熱カプセル群で構成してある蓄熱ブロック体に関し、その蓄熱ブロック体を更に複数設けた蓄熱槽に関する。
【背景技術】
【０００２】  従来、この種の蓄熱設備（蓄熱ブロック体や蓄熱槽）は、例えば、建物内に設置されるような場合には、壁の中や床下の空間を設置対象部として設定されることが多い。そして、具体的には、前記設置対象部の容積に合わせて断熱板で箱状の容器を作り、その容器の中に扁平形状の多数の蓄熱カプセルを隅から順に並べて配置すると共に、容器に熱交換用の空気流路を接続できるようにすることで、前記空気流路を通した空気が容器内の各蓄熱カプセルに接触して蓄熱できるようにしたものであった（例えば、特許文献１、２参照）。
即ち、各蓄熱カプセルは、箱状の容器内に収められることで一まとまりの蓄熱カプセル群（蓄熱ブロック体）を構成しており、その一つの蓄熱ブロック体で蓄熱槽そのものが構成されていた。所謂、その設置対象部に合わせた誂え品であった。【０００３】
【特許文献１】特開２００３−２１４７８７号公報（図１、図２）
【特許文献２】特開２００３−３１４８６１号公報（図２、図３）
【発明の開示】
【発明が解決しようとする課題】
【０００４】  しかし、このような蓄熱設備によれば、設置対象部の広さや形状に合わせて誂えられているから、異なった形状の設置対象部に対しては、形状が合わずに設置できない危険性もあり、汎用性に劣るといった問題がある。更には、設備そのものが一まとまりの物であるから嵩張りやすく、且つ、全体重量が重くなり易いことから、取扱性が悪いといった問題点もある。
そこで、これらの問題点を解消する策として、蓄熱槽を、個別に形成された複数の蓄熱ブロック体を組み合わせて構成するようにすることが提案される。
即ち、一例として、１００枚の蓄熱カプセルによって蓄熱設備を構成する場合を挙げて説明するならば、従来は、１００枚の蓄熱カプセルを収容した一つの容器（蓄熱ブロック体）を形成し、その一つの容器そのもので蓄熱槽を構成していたのに対して、２５枚を一まとまりとした蓄熱カプセル群で蓄熱ブロック体を構成し、その蓄熱ブロック体を４つ並べて一つの蓄熱槽を構成すれば、蓄熱カプセルの総量を替えずに、蓄熱ブロック体の一つ一つは小さく且つ軽量となるから取扱性が向上すると共に、蓄熱ブロック体の並べ方を替えれば、色々な形状の空間に合わせた蓄熱槽を形成することができ、色々な形状の設置対象部に適用させることが可能となり汎用性が向上するわけである。【０００５】  本発明の目的は、このように、取扱性や汎用性の向上を図れる蓄熱設備を提供する上で、更に実用性の高い製品にする点にある。
【課題を解決するための手段】
【０００６】  本発明の第１の特徴構成は、扁平形状の蓄熱カプセルの複数をその厚み方向に重ねて一体化した蓄熱カプセル群で構成してある蓄熱ブロック体において、前記蓄熱カプセル群の少なくとも両端部に、隣接配置させる別の蓄熱ブロック体と係合自在な係合部を備えた端部プレートが一体に取り付けてあるところにある。【０００７】  本発明の第１の特徴構成によれば、当該蓄熱ブロック体を並べて設置することで、容量の大きい蓄熱槽を簡単に形成することができるから、蓄熱ブロック体そのものは、軽量にしたりコンパクトな物にしたりすることが可能で、取扱性の向上を図ることができる。そして、蓄熱ブロック体どうしの配置の仕方を変更すれば、設置対象部の形状に合わせた蓄熱槽を簡単に形成することが可能で、汎用性が向上する。
そして、前記係合部を設けてあるから、隣接する別の蓄熱ブロック体とを係合させて、それぞれの位置を維持することが可能となり、例えば、地震等が発生しても、蓄熱ブロック体が崩れたり移動したりし難くでき、蓄熱槽の維持性を向上させることが可能となる。
更には、係合部は蓄熱カプセル群の少なくとも両端部に一体に設けられているから、隣接カプセル群との係合操作も簡単に実施できると共に、係合部が端部プレートに一体に取り付けられているから、端部プレートの強度で係合部をより確実に支持でき、隣接蓄熱カプセル群との係合をより強力に行うことが可能となる。そして、端部プレートによる蓄熱カプセル群そのものの補強効果をも期待することが可能となる。【０００８】  本発明の第２の特徴構成は、前記係合部は、前記蓄熱カプセル群を構成する前記蓄熱カプセルの厚み方向に沿って隣接配置させる別の蓄熱ブロック体と係合自在に形成してあるところにある。【０００９】  本発明の第２の特徴構成によれば、本発明の第１の特徴構成による上述の作用効果を叶えることができるのに加えて、前記蓄熱カプセル群を構成する前記蓄熱カプセルの厚み方向に沿って隣接配置させる別の蓄熱ブロック体と係合させることができ、蓄熱カプセルの厚み方向に多数の蓄熱カプセルが並んだ蓄熱槽を形成することが可能となる。その結果、蓄熱槽としては、各蓄熱カプセル間に形成される空間を熱交換流路として用いるにあたり、その流路合計断面積を大きく確保することが可能となり、熱交換効率の向上を図ることができる。【００１０】  本発明の第３の特徴構成は、前記係合部は、前記蓄熱カプセル群を構成する前記蓄熱カプセルの長さ方向に沿って隣接配置させる別の蓄熱ブロック体と係合自在に形成してあるところにある。【００１１】  本発明の第３の特徴構成によれば、本発明の第１又は２の特徴構成による上述の作用効果を叶えることができるのに加えて、前記蓄熱カプセル群を構成する前記蓄熱カプセルの長さ方向に沿って隣接配置させる別の蓄熱ブロック体と係合させることができ、蓄熱カプセルの長手方向に多数の蓄熱カプセルが並んだ蓄熱槽を形成することが可能となる。その結果、蓄熱槽としては、各蓄熱カプセル間に形成される空間を蓄熱カプセルの長手方向に沿った方向の熱交換流路として用いるにあたり、その流路長さを大きく確保することが可能となり、熱交換効率の向上を図ることができる。【００１２】  本発明の第４の特徴構成は、前記係合部は、前記蓄熱カプセル群を構成する前記蓄熱カプセルの幅方向に沿って隣接配置させる別の蓄熱ブロック体と係合自在に形成してあるところにある。【００１３】  本発明の第４の特徴構成によれば、本発明の第１〜３の何れかの特徴構成による上述の作用効果を叶えることができるのに加えて、前記蓄熱カプセル群を構成する前記蓄熱カプセルの幅方向に沿って隣接配置させる別の蓄熱ブロック体と係合させることができ、蓄熱カプセルの幅方向に多数の蓄熱カプセルが並んだ蓄熱槽を形成することが可能となる。その結果、蓄熱槽としては、各蓄熱カプセル間に形成される空間を蓄熱カプセルの幅方向に沿った方向の熱交換流路として用いるにあたり、その流路長さを大きく確保することが可能となり、熱交換効率の向上を図ることができる。【００１４】  本発明の第５の特徴構成は、前記端部プレートは、外形寸法を前記蓄熱カプセルの外形寸法以上に形成してあるところにある。【００１５】  本発明の第５の特徴構成によれば、本発明の第１〜４の何れかの特徴構成による上述の作用��果を叶えることができるのに加えて、端部プレートが蓄熱カプセルより外形寸法を大きく形成してあるから、それらを重ねて一体化した蓄熱ブロック体においては、両端部の端部プレートが、前記蓄熱カプセルより一回り大きく外周側に突出するような形状にすることができる。従って、下地平面上に当該蓄熱ブロック体を載置した場合、端部プレートが下地平面上に当接し、前記蓄熱カプセルを浮かせた状態に支持することが可能となる。従って、蓄熱カプセルが他物に当たって破損すると言ったことを防止し易くなる。このような保護効果は、下地の上に蓄熱ブロック体を置く場合に限らず、蓄熱ブロック体同士を上下に重ねる場合や、横に並べる場合でも同様に期待することができる。【００１６】  本発明の第６の特徴構成は、前記両端部プレートの端部どうしを、前記蓄熱カプセル群より外側で連結する連結フレームが設けられているところにある。【００１７】  本発明の第６の特徴構成によれば、本発明の第１〜５の何れかの特徴構成による上述の作用効果を叶えることができるのに加えて、両端部プレートと前記連結フレームとが連結されることで、全体とした強度アップを図ることが可能となる。更には、蓄熱カプセル群を前記端部プレートと連結フレームで囲んでいることで、蓄熱カプセル群に対する保護効果がよりいっそう向上する。【００１８】  本発明の第７の特徴構成は、前記蓄熱カプセル群の両端部に設けられている前記係合部は、予め両隣に配置されたそれぞれ別の蓄熱ブロック体に対して、隣接方向に交わる方向に沿って係合操作又は係合解除操作することで前記別の蓄熱ブロック体と係合又は係合解除するように形成してあるところにある。【００１９】  本発明の第７の特徴構成によれば、本発明の第１〜６の何れかの特徴構成による上述の作用効果を叶えることができるのに加えて、多数の蓄熱ブロック体を、前記係合部同士が係合した状態に設置してある状態でも、その内の一つの蓄熱ブロック体を隣接方向に交わる方向に沿って係合解除することができ、メンテナンス性を向上させることができる。そして、その逆に、残った隣接蓄熱ブロック体間に、蓄熱ブロック体を嵌め入れる場合も、蓄熱ブロック体の隣接方向に交わる方向に沿って係合操作することで、簡単に設置することができる。【００２０】  本発明の第８の特徴構成は、請求項１〜７の何れかの蓄熱ブロック体の複数を、それぞれ隣接する蓄熱ブロック体の前記係合部どうしを係合させて一体的に配置してあるところにある。【００２１】  本発明の第８の特徴構成によれば、本発明の第１〜７の何れかの特徴構成による上述の作用効果を叶えることができるのに加えて、各蓄熱ブロック体を容易に係合させたり係合解除させたりすることができ、各蓄熱カプセルを交換する等のメンテナンス性が非常に高い。それでいながら、各蓄熱ブロック体どうしの係合作用によって一体性の高い蓄熱槽とすることができる。
【発明を実施するための最良の形態】
【００２２】  以下に本発明の実施の形態を図面に基づいて説明する。【００２３】  図１は、本発明の一例である蓄熱ブロック体Ｂの複数を、それら蓄熱ブロック体Ｂにそれぞれ備えた係合部Ｋどうしを係合させて一体的に構成された蓄熱槽Ｔを示している。
この蓄熱槽Ｔは、例えば、建物の壁の中や床下の空間を設置対象部として設置されることが多く、室内空気を、この蓄熱槽Ｔを設置した空間に循環させることで、空気の余剰熱量を蓄熱したり蓄えた熱を空気に還元し、暖房や冷房等の空調の一手段として使用することが可能となり、熱の有効利用を図ることができるものである。【００２４】  前記蓄熱ブロック体Ｂは、図２に示すように、扁平形状の蓄熱カプセルＣの複数をその厚み方向に重ねて一体化した蓄熱カプセル群で構成してある。そして、前記蓄熱ブロック体Ｂの両端部には、隣接配置させる別の蓄熱ブロック体Ｂと係合自在な係合部Ｋを備えた端部プレート２が一体に取り付けてある。【００２５】  前記蓄熱カプセルＣは、主にカプセル容器本体Ｃ１と、当該カプセル容器本体Ｃ１の内部に充填する蓄熱材Ｃ２とで構成してあり（図３、図４参照）、図６に示すように、前記カプセル群の各カプセル容器本体Ｃ１間の隙間Ｓに空気等の熱媒体を流通させることで熱交換を図るように構成されている。
また、全体的には偏平状の形状に成形され、図３に示すように、一対の面材部３どうしを密封融着することで、前記面材部３間に、前記蓄熱材Ｃ２を密封状態に収容する収容部４を形成してあり、前記面材部３で構成された両外面を凹凸状に構成することで表面積の増加を図り、熱交換効率の向上を実現できるように構成されている。具体例としては、前記カプセル容器本体Ｃ１は、例えば、ポリエチレン、ポリプロピレン等の合成樹脂製の一対の面材部３（略長方形の扁平な形状に成形してある）を使用して構成してあり、カプセルの外縁部全周や、幅方向の中央部の複数箇所において両面材部３を融着することで、内空部に密封状態の前記収容部４が構成されている。
尚、カプセル容器本体Ｃの成形に関しては、シート成形法やブロー成形法、インジェクション成形法等によって形成することができる。
そして、カプセル容器本体Ｃ１の表裏面は、前述したように、例えば、カプセルの幅方向に沿った谷部と、山部とを交互に多数配置した凹凸形状（所謂「洗濯板」形状）に成形してある。
両面材部３どうしの接合部５は、カプセル容器本体Ｃ１の厚みのほぼ中央部で膜面に沿う扁平状態に形成されている。
カプセル外縁部全周に形成された接合部５Ａは、図に示すように、カプセル容器本体Ｃ１から外方へ突出する状態に設けられている。
一方、カプセルの幅方向の中央部の複数箇所に形成された接合部５Ｂは、図に示すように、正面視において円形に形成してあり、その中央部に、ボルト６を挿通自在な挿通孔７が形成してある。挿通孔７の周部は、カプセル厚みとほぼ同じ長さの筒部として構成されている。【００２６】  複数のカプセルを並設した状態で、図６に示すように、両端部にそれぞれ前記端部プレート２を添え、端部プレート２のボルト挿通孔２ａ、及び、各カプセルの挿通孔７に一本のボルト６を貫通させると共に、先端にナットを螺合させ締め付けることで、各カプセルを一体に連結することができる。このようにボルト連結された端部プレート付きの蓄熱カプセル群で前記蓄熱ブロック体Ｂが構成されている。【００２７】  前記蓄熱材Ｃ２は、例えば、塩化カルシウム水和物と水との混合物、あるいは、低融点の各種プラスチック、パラフィン類、ワックスなど熱の吸収・放出に伴って相変態する潜熱を利用する材料を用いて構成することができる。例えば、前記カプセルを一般の建物の空調に使用する場合には、居住空間の高温空気を前記カプセルに導いて蓄熱する場合が考えられる。この時、前記潜熱を利用する材料の場合には、室内温度がおよそ１８℃〜２７℃の間で変動すると想定して、例えば２３℃前後の温度において相変態可能なものを用いることが一例として挙げられる。潜熱を利用する場合には、熱の吸収・排出量を大きく確保することができる。また、潜熱に替えて、前記顕熱を利用する物質を蓄熱材Ｃ２として使用することも可能である。【００２８】  前記端部プレート２について説明する。
前記端部プレート２は、金属板で構成してあり、図５〜６に示すように、外周縁部をフランジ状に屈曲させて補強を図ってある。そして、外形寸法は、前記蓄熱カプセルＣの外形寸法以上に形成してあり、蓄熱ブロック体Ｂを設置面上に載置した状態では、端部プレート２が設置面に当接して荷重を伝えることができ、各蓄熱カプセルＣに直に大きな力が作用し難いようにしてある。
また、端部プレート２の中央側には、前記蓄熱カプセルＣの両挿通孔７に対応する位置に、前記ボルト挿通孔２ａが各別に設けられている。このボルト挿通孔２ａの外周部は、前記ボルト６の拡径頭部や、ボルト６に螺合させるナット９が納まるように座繰り部として形成してある。従って、ボルト６やナット９は、端部プレート２の表面側には突出しない状態に取り付けることができる。
また、端部プレート２の前記ボルト挿通孔２ａの側方には、端部プレート２の一部を切り起こして屈曲させた屈曲片部１０で構成された係合部Ｋが形成してある。屈曲片部１０の屈曲方向は、両端の端部プレート２とも同じ方向に設定してあり、当該実施形態においては、蓄熱カプセルＣの幅方向に沿って屈曲させてある。この係合部Ｋを別の蓄熱ブロック体Ｂの係合部Ｋと係合させることで、蓄熱カプセルＣの厚み方向に沿って隣接する蓄熱ブロック体Ｂどうしを係合連結することが可能となる。
具体的には、図７に示すように、二つの蓄熱ブロック体Ｂを、それぞれの屈曲片部１０の曲がり方向が対向する状態に配置し、蓄熱カプセルＣの幅方向に沿って相対的に近接させると、互いの屈曲片部１０どうしが噛み合い、両蓄熱ブロック体Ｂどうしを係合させることができる。また、係合解除を行うには、両蓄熱ブロック体Ｂを逆方向に相対離間させることで簡単に実施できる。
従って、図７に示すように、多数の蓄熱ブロック体Ｂを並べて設置されている状態でも、任意の蓄熱ブロック体Ｂだけを取り出したり、また、元の位置に設置し直すことが簡単に実施でき、メンテナンスや交換等の対応を容易に行うことが可能となる。【００２９】  本実施形態の蓄熱ブロック体によれば、複数のものを係合部Ｋで係合させるだけで安定した状態の蓄熱槽Ｔを簡単に形成することができる。また、各蓄熱ブロック体の数や配置を変えるだけで、蓄熱槽の容量や形状を変更でき、設計の自由度が高くなる。また、一つ一つの蓄熱ブロック体は、取扱性がよい上に、端部プレートで保護されているから強度的な信頼性も高い。【００３０】    〔別実施形態〕
以下に他の実施の形態を説明する。【００３１】〈１〉  蓄熱カプセルＣは、先の実施形態で説明した材料による構成に限るものではなく、例えば、面材部３は、合成樹脂製に替えて、ステンレス鋼や普通鋼やアルミニウム、銅、金属と合成樹脂とのラミネート等の薄膜で構成するものであってもよく、蓄熱材Ｃ２は、潜熱を利用するものに替えて、顕熱を利用する物質を使用することも可能である。
また、蓄熱カプセルの形状も、先の実施形態で説明した形状に限るものではなく、適宜、設計変更が可能である。また、表裏面の凹凸形状も、適宜、設計変更が可能である。
〈２〉  前記挿通孔７は、蓄熱カプセルＣの幅中央部に形成することに限らず、例えば、図８に示すように、蓄熱カプセルＣ外縁部の接合部５Ａに形成してあってもよい。この場合は、蓄熱カプセルの外殻構造の一部にボルト６が位置することから、蓄熱ブロック体Ｂとしての補強効果が向上する。また、前記挿通孔７に対応させて端部プレート２にもそれぞれボルト挿通孔２ａを設けることが好ましい。
〈３〉  前記端部プレート２は、先の実施形態で説明したように各蓄熱カプセルＣの外形寸法より大きく形成してあるものに限らず、例えば、図９に示すように、蓄熱カプセルＣの外形寸法より小さく形成してあるものであってもよい。
また、図１０に示すように、前記両端部プレート２の端部どうしを連結する連結フレーム１１を、前記蓄熱カプセル群より外側に位置するように設けてあってもよい。この実施形態によれば、端部プレート２と連結フレーム１１とで補強フレームが構成され、その補強フレームは蓄熱カプセル群を囲む状態に形成されているから、全体とした補強効果に加えて蓄熱カプセル群の保護効果を発揮することが可能となる。従って、他の蓄熱ブロック体Ｂを積み上げて蓄熱槽Ｔを構成することも簡単に実施できるようになる。
〈４〉  前記係合部Ｋは、先の実施形態で説明したように、蓄熱カプセルＣの幅方向に沿って屈曲させた屈曲片部１０によって構成するものに限らず、例えば、蓄熱カプセルＣの長手方向に沿って屈曲させたり、又は、これらと異なる方向に沿って屈曲させた屈曲片部によって構成するものであってもよい。また、係合部Ｋは、前記蓄熱カプセルＣの厚み方向に沿って隣接配置させる別の蓄熱ブロック体Ｂと係合自在に形成してあるものに限らず、例えば、図１１に示すように、前記蓄熱カプセル群を構成する前記蓄熱カプセルＣの長さ方向に沿って隣接配置させる別の蓄熱ブロック体Ｂと係合自在に形成してあってもよい。この場合は、端部プレート２の上下端部に、互いに係合自在な凹部１２ａと凸部１２ｂとを設け、これら凹部１２ａと凸部１２ｂとで係合部Ｋが構成されている。
また異なる例として、図１２に示すように、前記蓄熱カプセル群を構成する前記蓄熱カプセルＣの幅方向に沿って隣接配置させる別の蓄熱ブロック体Ｂと係合自在に形成してあってもよい。この場合は、端部プレート２の上下縁部に形成したピン挿通孔１３ａと、蓄熱カプセルＣの幅方向に隣接させる蓄熱ブロック体Ｂの端部プレート２それぞれのピン挿通孔１３ａに各別に係合する係合端部を備えたピン１３ｂとを設け、これらピン挿通孔１３ａとピン１３ｂとで係合部Ｋが構成されている。
但し、それぞれの係合部Ｋは、説明した形状に限るものではなく、種々の設計変更が可能である。その一例として、端部プレートそのものを、金属板に替えて、例えば、ＦＲＰやエンジニアリングプラスチックスの板状の成型品で構成する場合には、図１３に示すように、係合部Ｋは、溝やアリ溝１４ａと、それらに嵌合自在な凸条１４ｂとで構成することができる。この例によれば、蓄熱カプセルＣの厚み方向、長手方向、幅方向にそれぞれ隣接する蓄熱ブロックと係合自在な係合部を全て備えている。そして、端部プレートの座繰り部内に納まるボルト６やナット９も、端部プレートと同様に、金属やプラスチックスで構成してある。
要するに、係合部Ｋは、隣接配置させる別の蓄熱ブロック体Ｂと係合自在な構造であればよい。それらを総称して係合部Ｋと言う。【００３２】  尚、上述のように、図面との対照を便利にするために符号を記したが、該記入により本発明は添付図面の構成に限定されるものではない。
【図面の簡単な説明】
【００３３】
【図１】  蓄熱槽を示す要部斜視図
【図２】  蓄熱ブロック体を示す斜視図
【図３】  蓄熱カプセルを示す一部切欠き斜視図
【図４】  蓄熱カプセルを示す正面図と側面図
【図５】  端部プレートを示す斜視図
【図６】  蓄熱ブロック体の形成状況を示す側面視説明図
【図７】  蓄熱ブロック体の着脱状態を示す上面視説明図
【図８】  別実施形態の蓄熱ブロック体を示す斜視図
【図９】  別実施形態の蓄熱ブロック体を示す斜視図
【図１０】  別実施形態の蓄熱ブロック体を示す斜視図
【図１１】  別実施形態の蓄熱ブロック体を示す斜視図
【図１２】  別実施形態の蓄熱ブロック体を示す斜視図
【図１３】  別実施形態の蓄熱ブロック体を示す斜視図
【符号の説明】
【００３４】２      端部プレート
Ｂ      蓄熱ブロック体
Ｃ      蓄熱カプセル
Ｋ      係合部
１１    連結フレーム
【図１】
2006003059.tif 000003
【図２】
2006003059.tif 000004
【図３】
2006003059.tif 000005
【図４】
2006003059.tif 000006
【図５】
2006003059.tif 000007
【図６】
2006003059.tif 000008
【図７】
2006003059.tif 000009
【図８】
2006003059.tif 000010
【図９】
2006003059.tif 000011
【図１０】
2006003059.tif 000012
【図１１】
2006003059.tif 000013
【図１２】
2006003059.tif 000014
【図１３】
2006003059.tif 000015